(57)【要約】【課題】座席足元のフロアに置いて小物などの物品を効率よく整理するとともに、使い勝手に優れた自動車用物品収納具を提供する。【解決手段】正面にフロントパネル（２）、背面にリアパネル（３）、両側面にサイドパネル（４）を有して上方を開放するとともに、該フロントパネル（２）と該リアパネル（３）との間に複数の区画ができるように仕切板として複数のインナーパネル（５）（６）（７）を平行に備えて折り畳み可能な箱状に本体を形成した自動車用物品収納具において、該フロントパネル（２）は、隣接するインナーパネル（５）よりも上辺の位置が低くなるように構成した。【選択図】図１
0003178259.tif 000002
【実用新案登録請求の範囲】
【請求項１】
正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該フロントパネルは、隣接するインナーパネルよりも上辺の位置が低いことを特徴とする自動車用物品収納具。
【請求項２】
該フロントパネルと該インナーパネルの底辺同士を接することで、該フロントパネルと該インナーパネルの上辺を扇状に広がることを特徴とする請求項１に記載の自動車用物品収納具。
【請求項３】
正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該インナーパネルは、第１インナーパネルと第２インナーパネルからなり、フロントパネルは第１インナーパネルよりも低く、第１インナーパネルは第２インナーパネルよりも上辺位置を低く形成したことを特徴とする請求項１又は請求項２に記載の自動車用物品収納具。
【請求項４】
正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該インナーパネルは、第１インナーパネルと第２インナーパネルからなり、フロントパネルは第１インナーパネルよりも低く、第１インナーパネルは第２インナーパネルよりも上辺位置を低く形成するとともに、該フロントパネルと第１インナーパネルと第２インナーパネルとの底面側の辺同士を接することで、該フロントパネルと第１インナーパネルと第２インナーパネル上辺とで扇状に広がることを特徴とする請求項１乃至請求項３の何れかに記載の自動車用物品収納具。
【考案の詳細な説明】
【技術分野】
【０００１】
本考案は、自動車内に置いて使用する物品収納具に関し、特に座席足元のフロアに置いて使用する物品収納具に関する。
【背景技術】
【０００２】
従来、自動車内に置いて使用する物品収納具にとしては、自動車のトランクルームなどの荷室に置いて、小物などの物品や荷物を整理する収納具が多々提案されている。このような収納具は、上部を開放した箱状で形成されており、セダン型自動車であればトランクルーム、ステーションワゴンやミニバン型自動車であれば荷室の床面に置いて使用される。例えば、例えば、特開２００１−２３３１３６号公報（特許文献１）に開示された収納具が公知であり市場においても多々見受けられるものである。このような物品収納具は、箱状で箱内をいくつかの区画に区分けされ収納する物品の量に応じて適宜折り畳んだり引き伸ばしたりして区画を増減させて使用することができ、不使用時には完全に折り畳むことでコンパクトにすることができるので、トランクルームなど荷室の物品などを整理して荷室スペースを有効利用するには大いに適したものである。
【先行技術文献】
【特許文献】
【０００３】
【特許文献１】特開２００１−２３３１３６号公報
【考案の概要】
【考案が解決しようとする課題】
【０００４】
ところで、昨今、自動車の座席足元のフロアに小物類などの物品を置くケースが多々見受けられる。物品は通常、座席近傍の収納スペースであるグローブボックス、ドアポケット、コンソールボックス、シートポケットなどに収納されるが、収納しきれなかった物品や、収納するには差し障る物、例えば横にして収納すると液漏れの心配があるなどといった液体洗剤類、内部を汚す恐れのある使用中のウェス類などが置かれることがある。これらフロアに置かれた物品は、往々にして雑然と放置した如く置かれるため、走行時の加減速によって転がり座席取付ステーなどに当たって騒音を発したり、夜間に気付かず踏んでしまったりということが往々にしてある。また、従来の特許文献１に開示されたような物品収納具は、トランクルームなど荷室の整理には有効であるが、座席足元のフロアに置くには大きすぎて適切ではない。
【０００５】
そこで本考案は、かかる課題を考慮し、座席足元のフロアに置いて小物などの物品を効率よく整理するとともに、使い勝手に優れた自動車用物品収納具を提供することを目的としている。
【課題を解決するための手段】
【０００６】
かかる課題を解決するために、本考案の請求項１によれば、正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該フロントパネルは、隣接するインナーパネルよりも上辺の位置が低いことで解決される。
【０００７】
かかる課題を解決するために、本考案の請求項２によれば、該フロントパネルと該インナーパネルの底辺同士を接することで、該フロントパネルと該インナーパネルの上辺を扇状に広がることで解決される。
【０００８】
かかる課題を解決するために、本考案の請求項３によれば、正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該インナーパネルは、第１インナーパネルと第２インナーパネルからなり、フロントパネルは第１インナーパネルよりも低く、第１インナーパネルは第２インナーパネルよりも上辺位置を低く形成したことで解決される。
【０００９】
かかる課題を解決するために、本考案の請求項４によれば、正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該インナーパネルは、第１インナーパネルと第２インナーパネルからなり、フロントパネルは第１インナーパネルよりも低く、第１インナーパネルは第２インナーパネルよりも上辺位置を低く形成するとともに、該フロントパネルと第１インナーパネルと第２インナーパネルとの底面側の辺同士を接することで、該フロントパネルと第１インナーパネルと第２インナーパネル上辺とで扇状に広がることで解決される。
【考案の効果】
【００１０】
本考案の請求項１及び４によれば、正面にフロントパネル、背面にリアパネル、両側面にサイドパネルを有して上方を開放するとともに、該フロントパネルと該リアパネルとの間に複数の区画ができるように仕切板として複数のインナーパネルを平行に備えて折り畳み可能な箱状に本体を形成した自動車用物品収納具において、該フロントパネルは、隣接するインナーパネルよりも上辺の位置が低くなるように構成したので、フロントパネルとリアパネルとの間に備えたインナーパネルによって形成された収納スペースに適宜物品を収納して使用し、さらに、フロントパネルはインナーパネルよりも低く浅く形成されて底部が見渡し易いので、それぞれの収納スペースに比較的小さな物品を収納すれば何が入っているか見渡し易く取り出し易い。また、インナーパネルからフロントパネルにかけて上辺位置が徐々に低くなるように形成しているので、助手席の足元のように足先に行くほどに上下方向の空間が狭くなる所に置く場合は特に納まりが良く、フロアのスペースを有効利用できる。
【００１１】
また、該フロントパネルと該インナーパネルの底辺同士を接することで、該フロントパネルと該インナーパネルの上辺を扇状に広がるように構成したので、該フロントパネルと該インナーパネルとの間に形成される収納スペースに小さな物品を収納したときに何が入っているかさらに見渡し易く取り出し易くなる。また、インナーパネルからフロントパネルにかけて上辺位置が徐々に低くなるように形成しているので、助手席の足元のように足先に行くほどに上下方向の空間が狭くなる所に置く場合は特に納まりが良く、フロアのスペースを有効利用できる。
【図面の簡単な説明】
【００１２】
【図１】自動車用物品収納具の説明図である。
【図２】自動車用物品収納具の底面側から見た説明図である。
【図３】使用状態を示す説明図である。
【図４】使用状態を示す説明図である。
【図５】使用状態を示す説明図である。
【図６】折り畳んだ状態を示す説明図である。
【考案を実施するための形態】
【実施例】
【００１３】
以下、本考案の第１実施例について、図面を参照して詳細に説明する。図１は、本考案の自動車用物品収納具の説明図、図２は、自動車用物品収納具の底面側から見た説明図である。図１及び図２に示されるように、自動車用物品収納具の本体（１）は、正面にフロントパネル（２）、背面にリアパネル（３）、両側面にサイドパネル（４）を有し、上方を開放した箱状に形成されるとともに、第１インナーパネル（５）、、第２インナーパネル（６）、第３インナーパネル（７）をフロントパネル（２）とリアパネル（３）との間に仕切りの板として平行に備えて本体（１）は複数の区画、第１区画（１ａ）、第２区画（１ｂ）、第３区画（１ｃ）、第４区画（１ｄ）を構成する。
【００１４】
フロントパネル（２）は第１インナーパネル（５）よりも低く、第１インナーパネル（５）は第２インナーパネル（６）よりも低く形成することで、第１区画（１ａ）は第２区画（１ｂ）よりも浅く、第２区画（１ｂ）は第３区画（１ｃ）、第４区画（１ｄ）よりも浅く形成される。
【００１５】
サイドパネル（４）には、面ファスナー雌と雄とからなる止着部（４ａ）が備えられている。収納する物品に応じて、不必要な部分を折り畳むと止着部（４ａ）によって畳んだ状態を維持することができる。
【００１６】
図２に示されるように、本体（１）の底面には、フロントパネル（１ａ）の底面側の辺中央から先端に面ファスナー雌（８ａ）を備えた調整ベルト（８）を延設し、リアパネル（３）と第２インナーパネル（６）との間に該メンファスナー雌（８ａ）が止着可能にサイドパネル（４）と平行して面ファスナー雄（８ｂ）を備えている。
【００１７】
フロントパネル（２）、リアパネル（３）、第１インナーパネル（５）、第２インナーパネル（６）は、本体（１）が箱体としての形状を保つために外装である布地内部に芯材を入れて補強し、一方、サイドパネル（４）は、本体（１）を折り畳み可能なように布地で構成されている。
【００１８】
図３は、使用状態を示す説明図である。図２に示された調整ベルト（８）の面ファスナー雌（８ａ）を第１インナーパネル（５）と第２インナーパネル（６）間に備えた面ファスナー雄（８ｂ）に止着することで、図３に示されるようにフロントパネル（２）、第１インナーパネル（５）、第２インナーパネル（６）の底面側の辺が接して上方が扇状に広がって構成される。このとき、フロントパネル（２）は第１インナーパネル（５）よりも低く、第１インナーパネル（５）は第２インナーパネル（６）よりも低く形成されているので扇状に広げたときに不必要にフロントパネル（２）と第１インナーパネル（５）の先端が延長されることがない。
【００１９】
図４及び図５は、使用状態を示す説明図である。図４では、第３区画（１ｃ）を折り畳んだ状態を示している。折り畳んだ状態は、サイドパネル（４）に備えられた面ファスナー雌と雄とからなる止着部（４ａ）によって維持されている。そして、図５に示されるように調整ベルト（８）の面ファスナー雌（８ａ）を第３インナーパネル（７）、リアパネル（３）間に備えた面ファスナー雄（８ｂ）に止着することで、図４に示されるようにフロントパネル（２）、第１インナーパネル（５）と第２インナーパネル（６）の底面側の辺が接して上方が扇状に広がって構成される。
【００２０】
図６は、使用状態を示す説明図で、本体（１）を折り畳んだ状態を示している。調整ベルト（８）の面ファスナー雌（８ａ）をリアパネル（３）に備えられた面ファスナー雄（図示せず）に止着するとともに、サイドパネル（４）に備えられた面ファスナー雌と雄とからなる止着部（４ａ）によって畳んだ状態が維持されている。
【００２１】
以上述べたように構成された本体（１）は、主に自動車の座席足元のフロアに置かれて使用する。図１に示されるような形態では、第１区画（１ａ）、第２区画（１ｂ）、第３区画（１ｃ）、第４区画（１ｄ）に適宜物品を収納して使用する。そして、フロントパネル（２）は第１インナーパネル（５）よりも低く、第１インナーパネル（５）は第２インナーパネル（６）よりも低く浅く形成されて底部が見渡し易いので、手前側である第１区画（１ａ）、第２区画（１ｂ）に比較的小さな物品を収納すれば何が入っているか見渡し易く取り出し易い。また、第２インナーパネル（６）から第１インナーパネル（５）、フロントパネル（２）と上辺位置が徐々に低くなるように形成しているので、助手席の足元のように足先に行くほどに上下方向の空間が狭くなる所に置く場合は特に納まりが良く、フロアのスペースを有効利用できる。
【００２２】
図３に示されるような形態では、フロントパネル（２）、インナーパネル（５）、インナーパネル（６）の底面側の辺が接して上方が扇状に広がって構成されるので、図１に示された形態と比較すると手前側である第１区画（１ａ）、第２区画（１ｂ）に小さな物品を収納したときに何が入っているかさらに見渡し易く取り出し易くなる。また、前記同様に第２インナーパネル（６）から第１インナーパネル（５）、フロントパネル（２）と上辺位置が徐々に低くなるように形成しているので、助手席の足元のように足先に行くほどに上下方向の空間が狭くなる所に置く場合は特に納まりが良く、フロアのスペースを有効利用できる。
【００２３】
図４では、図３に示される形態でさらに第３区画（１ｃ）を折り畳んだ状態としているので、収納する物品が少ない場合は、不必要にフロアのスペースを占有することなく有効利用できる。
【００２４】
なお、上記では本体（１）を座席足元のフロアに置くように説明をしたが、座席の上に置いたり、トランクルームなどの荷室に置いたりしても使い勝手良く使用することができる。
【符号の説明】
【００２５】
１    本体
１ａ  第１区画
１ｂ  第２区画
１ｃ  第３区画
１ｄ  第４区画
２    フロントパネル
３    リアパネル
４    サイドパネル
４ａ  止着部
５    第１インナーパネル
６    第２インナーパネル
７    第３インナーパネル
８    調整ベルト
８ａ  面ファスナー雌
８ｂ  面ファスナー雄
【図１】
0003178259.tif 000003
【図２】
0003178259.tif 000004
【図３】
0003178259.tif 000005
【図４】
0003178259.tif 000006
【図５】
0003178259.tif 000007
【図６】
0003178259.tif 000008